(57)【要約】【課題】モバイルネットワーク内に配置された、ＵＥ単位でページング処理を制御するＭＥＣノードにおいて、暗号化されたシグナリング情報の解析に必要な暗号化情報を取得するための技術を提供する。【解決手段】ＭＥＣノード１０は、複数のｅＮＢのそれぞれとＭＭＥ１１との間で伝送されるパケットに含まれるシグナリング情報を解析することにより、当該複数のｅＮＢのセル内に存在するＵＥのページング範囲を調整するための情報を収集する。ＭＥＣノード１０は、解析における対象ＵＥについての暗号化されたシグナリング情報の復号に使用可能な暗号化情報を保持していない場合に、対象ＵＥの認証を伴うＥＰＣへの再アタッチを対象ＵＥに実行させる制御信号を、対象ＵＥへ送信する。更に、ＭＥＣノード１０は、再アタッチのための接続処理において対象ＵＥとＭＭＥ１１との間で伝送されるシグナリング情報から、対象ＵＥの暗号化情報を取得する。【選択図】図１
2019146076.tif 000002
【特許請求の範囲】
【請求項１】
複数の基地局とコアネットワーク内の移動管理装置との間に配置される、エッジコンピューティングのためのノード装置であって、
前記複数の基地局のそれぞれと前記移動管理装置との間で伝送されるパケットに含まれるシグナリング情報を解析することにより、前記複数の基地局のセル内に存在する無線端末のページングにおけるページング範囲を調整するための情報を収集する解析手段と、
前記解析手段による解析における前記無線端末についての暗号化されたシグナリング情報の復号に使用可能な暗号化情報を、前記ノード装置が保持していない場合に、前記無線端末の認証を伴う前記コアネットワークへの再アタッチを前記無線端末に実行させる制御信号を、前記無線端末へ送信する制御手段と、
前記再アタッチのための接続処理において前記無線端末と前記移動管理装置との間で伝送されるシグナリング情報から、前記暗号化情報を取得する取得手段と、
を備えることを特徴とするノード装置。
【請求項２】
前記制御手段は、前記無線端末に対して特定のベアラが確立されていない状態で、前記無線端末へ前記制御信号を送信する
ことを特徴とする請求項１に記載のノード装置。
【請求項３】
無線端末に対して確立されているベアラのサービス品質に関連するパラメータを、無線端末ごとに保持する保持手段を更に備え、
前記制御手段は、予め定められたパラメータに対応するベアラが確立されていない状態で、前記無線端末へ前記制御信号を送信する
ことを特徴とする請求項２に記載のノード装置。
【請求項４】
前記制御手段は、前記無線端末に対して前記特定のベアラが確立されている間には前記無線端末へ前記制御信号を送信せず、前記特定のベアラが解放された後に、前記無線端末へ前記制御信号を送信する
ことを特徴とする請求項２又は３に記載のノード装置。
【請求項５】
前記特定のベアラは、音声通信用のベアラを含む
ことを特徴とする請求項２から４のいずれか１項に記載のノード装置。
【請求項６】
前記制御信号は、前記無線端末に対するデタッチ処理のための切断信号であり、
前記取得手段は、前記切断信号の受信に応じて前記無線端末から前記移動管理装置に対して行われる前記接続処理において、前記暗号化情報を取得する
ことを特徴とする請求項１から５のいずれか１項に記載のノード装置。
【請求項７】
前記制御手段は、
前記切断信号の受信に応じて前記無線端末から前記移動管理装置へ送信される、前記無線端末の認証を伴わない再アタッチのための第１要求信号を受信すると、当該第１要求信号を前記移動管理装置へ転送せずに、アタッチ拒絶信号を前記無線端末へ送信し、
前記アタッチ拒絶信号の受信に応じて前記無線端末から前記移動管理装置へ送信される、前記無線端末の認証を伴う再アタッチのための第２要求信号を受信すると、当該第２要求信号を前記移動管理装置へ転送する
ことを特徴とする請求項６に記載のノード装置。
【請求項８】
前記取得手段は、前記第２要求信号により開始される前記接続処理において前記無線端末と前記移動管理装置との間で伝送されるシグナリング情報から、前記暗号化情報を取得する
ことを特徴とする請求項７に記載のノード装置。
【請求項９】
前記ノード装置は、隣接する他のノード装置と通信可能であり、
前記解析手段は、前記他のノード装置に対して、前記無線端末に対応する暗号化情報の問い合わせを行い、
前記制御手段は、前記問い合わせにより前記他のノード装置から前記暗号化情報を取得できなかった場合に、前記制御信号を前記無線端末へ送信する
ことを特徴とする請求項１から８のいずれか１項に記載のノード装置。
【請求項１０】
前記解析手段は、暗号化されていないシグナリング情報に基づいて、前記無線端末が前記ノード装置に収容される直前に収容されていた他のノード装置を特定し、特定した当該他のノード装置に対して前記暗号化情報の問い合わせを行う
ことを特徴とする請求項９に記載のノード装置。
【請求項１１】
前記制御手段は、前記無線端末に対して特定のベアラが確立されていない状態で、前記無線端末へ前記制御信号を送信し、
前記解析手段は、前記無線端末に対して特定のベアラが確立されている間に、前記複数の基地局及び前記移動管理装置のいずれかからパケットを受信しても、前記他のノード装置へ前記問い合わせを行わないように動作する
ことを特徴とする請求項９又は１０に記載のノード装置。
【請求項１２】
無線端末ごとのレコードとして、当該無線端末に対応する暗号化情報と、前記解析手段により収集された情報とを保持するテーブルと、
他のノード装置に接続された基地局のセルへ前記無線端末がハンドオーバした後に、前記他のノード装置からの問い合わせに応じて前記無線端末に対応する暗号化情報が前記他のノード装置へ提供されると、前記無線端末に対応するレコードを前記テーブルから削除する削除手段と、を更に備える
ことを特徴とする請求項１から１１のいずれか１項に記載のノード装置。
【請求項１３】
無線端末ごとのレコードとして、当該無線端末に対応する暗号化情報と、前記解析手段により収集された情報とを保持するテーブルと、
所定時間、通信を行っていない無線端末に対応するレコードを前記テーブルから削除する削除手段と、を更に備える
ことを特徴とする請求項１から１１のいずれか１項に記載のノード装置。
【請求項１４】
前記制御手段は、前記無線端末に対応する暗号化情報を前記ノード装置が保持していない場合、又は、前記無線端末に対応付けて前記ノード装置が保持している暗号化情報を用いて、暗号化されたシグナリング情報を復号できない場合に、前記制御信号を前記無線端末へ送信する
ことを特徴とする請求項１から１３のいずれか１項に記載のノード装置。
【請求項１５】
前記移動管理装置によって所定のページングポリシーに従って１つ以上の基地局に向けて送信された、前記無線端末のページングのためのページングメッセージを受信すると、前記解析手段によって収集された情報に基づいてページング範囲を決定する決定手段と、
前記決定手段によって決定されたページング範囲に含まれる各基地局へ、前記無線端末のページングのためのページングメッセージを送信する送信手段と、を更に備える
ことを特徴とする請求項１から１４のいずれか１項に記載のノード装置。
【請求項１６】
前記解析手段は、前記複数の基地局及び前記移動管理装置のいずれかから受信されたパケットに含まれるシグナリング情報を解析して、当該パケットに含まれるメッセージの種別を識別し、識別した種別に応じて、当該メッセージから情報を収集する
ことを特徴とする請求項１５に記載のノード装置。
【請求項１７】
前記解析手段は、
前記メッセージが、アタッチ、位置登録、又はハンドオーバに関連するメッセージであれば、当該メッセージから、前記無線端末の移動状況を示す情報を収集し、
前記メッセージが、無線接続又は無線解放に関連するメッセージであれば、当該メッセージから、前記無線端末の通信状況を示す情報を収集する
ことを特徴とする請求項１６に記載のノード装置。
【請求項１８】
複数の基地局とコアネットワーク内の移動管理装置との間に配置される、エッジコンピューティングのためのノード装置の制御方法であって、
前記複数の基地局のそれぞれと前記移動管理装置との間で伝送されるパケットに含まれるシグナリング情報を解析することにより、前記複数の基地局のセル内に存在する無線端末のページングにおけるページング範囲を調整するための情報を収集する工程と、
前記解析における前記無線端末についての暗号化されたシグナリング情報の復号に使用可能な暗号化情報を、前記ノード装置が保持していない場合に、前記無線端末の認証を伴う前記コアネットワークへの再アタッチを前記無線端末に実行させる制御信号を、前記無線端末へ送信する工程と、
前記再アタッチのための接続処理において前記無線端末と前記移動管理装置との間で伝送されるシグナリング情報から、前記暗号化情報を取得する工程と、
を含むことを特徴とするノード装置の制御方法。
【請求項１９】
請求項１８に記載のノード装置の制御方法の各工程をコンピュータに実行させるためのプログラム。
【発明の詳細な説明】
【技術分野】
【０００１】
本発明は、モバイルネットワークにおけるエッジコンピューティングのためのノード装置、及びその制御方法、並びにプログラムに関するものである。
【背景技術】
【０００２】
ＥＴＳＩ（European Telecommunications Standards Institute）では、マルチアクセス・エッジコンピューティング（ＭＥＣ：Multi-access Edge Computing）の標準化が進められている。モバイルネットワークにＭＥＣを適用する場合、当該ネットワークのエッジ付近（例えば、基地局とコアネットワークとの間）に、基地局セル内のユーザ装置（ＵＥ：User Equipment）にＩＴサービスを提供するノード装置（ＭＥＣノード）が設けられる。ＭＥＣノードは、基地局とゲートウェイ装置等のコアネットワークノードとの間で伝送されるパケットを、例えばＤＰＩ（Deep Packet Inspection）技術を用いてインラインで識別して中身を解析し、必要に応じて、ＭＥＣノード上で動作するアプリケーションによる処理を行う。
【０００３】
また、上述のようなモバイルネットワークでは、ネットワーク側からＵＥとの通信を開始する際に、ＭＭＥ（Mobility Management Entity）等の移動管理装置がＵＥの呼び出し（ページング）処理を行う。ＭＭＥは、ＵＥからの位置登録に応じて保持している在圏情報に基づいて、１つ以上の基地局を介してＵＥのページングを行う。ＵＥのページングを行う地理的エリアに相当するページング範囲（ページングエリア）は、所定のポリシー（ページングポリシー）に従って定められる。
【０００４】
例えば、特許文献１には、無線端末（ＵＥ）ごとの移動頻度及び通信頻度に基づいて、最適なページングエリアサイズの割り当てを行う仕組みが開示されている。特許文献２には、無線アクセスネットワーク（ＲＡＮ）及びＵＥ固有の情報を考慮して、ページングエリアを最適化する仕組みが開示されている。特許文献３には、移動局の移動状態の予測結果に基づいて作成された、移動局の在圏する可能性が高い基地局リストを用いて、ページングエリアを決定する仕組みが開示されている。
【先行技術文献】
【特許文献】
【０００５】
【特許文献１】特開２００８−１９３５９２号公報
【特許文献２】特表２０１６−５１４９３５号公報
【特許文献３】国際公開第２０１４／０４９９１１号
【発明の概要】
【発明が解決しようとする課題】
【０００６】
ページング処理のためのページングポリシーは、ページング処理に伴うＭＭＥのトランザクション負荷と、ページングが成功するまでのページング遅延とのバランスの観点で決定される。このページングポリシーは、上述の従来技術のように、ＵＥごとに適切に決定されることが望ましい。しかし、ＭＭＥは、通常、当該ＭＭＥに収容される多数の基地局が形成するセル内に存在する、相当数のＵＥを収容している。このため、ＭＭＥが、ＵＥ単位で移動履歴等の履歴情報を集中管理し、かつ、履歴情報に基づいて、上述の従来技術のようにＵＥ単位で異なるページングポリシーを設定してページング処理を行うことは、実際には難しい。
【０００７】
そこで、ＭＭＥと複数の基地局との間に配置したＭＥＣノードを利用することで、ＵＥ単位でページング処理を制御することが可能になりうる。その場合、ＭＥＣノードは、ＭＭＥと各基地局との間で伝送されるパケットに含まれる、暗号化されたシグナリング情報の解析のために、各ＵＥ用の暗号化情報（暗号化キー）を取得する必要がある。この暗号化情報は、例えば、ＵＥとＭＭＥとの間でやりとりされるシグナリング情報から取得されうる。しかし、ＵＥがＭＭＥ間の移動を伴うハンドオーバや端末認証を伴うアタッチ（ＩＭＳＩアタッチ等）を行わない限り、暗号化情報を含むシグナリング情報がＵＥとＭＭＥとの間でやりとりされず、ＭＥＣノードが暗号化情報を取得できない可能性がある。
【０００８】
本発明は、上述の課題に鑑みてなされたものである。本発明は、モバイルネットワーク内に配置された、ＵＥ単位でページング処理を制御するＭＥＣノードにおいて、暗号化されたシグナリング情報の解析に必要な暗号化情報を取得するための技術を提供することを目的としている。
【課題を解決するための手段】
【０００９】
本発明の一態様の係るノード装置は、複数の基地局とコアネットワーク内の移動管理装置との間に配置される、エッジコンピューティングのためのノード装置であって、前記複数の基地局のそれぞれと前記移動管理装置との間で伝送されるパケットに含まれるシグナリング情報を解析することにより、前記複数の基地局のセル内に存在する無線端末のページングにおけるページング範囲を調整するための情報を収集する解析手段と、前記解析手段による解析における前記無線端末についての暗号化されたシグナリング情報の復号に使用可能な暗号化情報を、前記ノード装置が保持していない場合に、前記無線端末の認証を伴う前記コアネットワークへの再アタッチを前記無線端末に実行させる制御信号を、前記無線端末へ送信する制御手段と、前記再アタッチのための接続処理において前記無線端末と前記移動管理装置との間で伝送されるシグナリング情報から、前記暗号化情報を取得する取得手段と、を備えることを特徴とする。
【発明の効果】
【００１０】
本発明によれば、モバイルネットワーク内に配置された、ＵＥ単位でページング処理を制御するＭＥＣノードにおいて、暗号化されたシグナリング情報の解析に必要な暗号化情報を取得することが可能になる。それにより、取得した暗号化情報を用いて、ＭＥＣノードがＵＥ又は基地局とＭＭＥとの間で伝送されるシグナリング情報を解析し、収集した情報に基づいて、ＵＥ単位でページング処理を制御することが可能になる。
【図面の簡単な説明】
【００１１】
【図１】ＭＥＣノードを含むネットワーク構成例を示す図
【図２】ＭＥＣノードのハードウェア構成例を示すブロック図
【図３】ＭＥＣノードの機能構成例を示すブロック図
【図４】ＭＥＣノード（情報管理部）が管理している情報の例を示す図
【図５】ＭＥＣノードによって実行される処理の手順を示すフローチャート
【図６】端末登録処理（Ｓ６）の手順を示すフローチャート
【図７】情報更新処理（Ｓ８）の手順を示すフローチャート
【図８】ページング制御（Ｓ１２）の手順を示すフローチャート
【図９】ＭＥＣノードによるページング制御の例を示す図
【図１０】ＭＥＣノードによる再接続制御の手順を示すフローチャート
【図１１】再接続制御による暗号化情報の取得に関連する通信シーケンスを示す図
【図１２】ＭＭＥによるページング処理の例を示す図
【発明を実施するための形態】
【００１２】
以下、本発明の例示的な実施形態について図面を参照して説明する。なお、以下の各図においては、実施形態の説明に必要ではない構成要素については図から省略する。
【００１３】
以下で説明する実施形態では、本発明を適用したモバイルネットワークの例として、ＬＴＥ／ＬＴＥ−Ａｄｖａｎｃｅｄネットワークを想定している。なお、本発明は、ＬＴＥネットワーク以外のモバイルネットワークにも適用されてもよい。例えば、本発明は、第３世代パートナーシッププロジェクト（３ＧＰＰ）で規格化が進められている第５世代（５Ｇ）のモバイルネットワークに対して適用されてもよい。
【００１４】
＜ネットワーク構成＞
本実施形態で想定しているＬＴＥネットワークは、無線アクセスネットワークであるＥ−ＵＴＲＡＮ（Evolved Universal Terrestrial Radio Network）と、コアネットワークであるＥＰＣ（Evolved Packet Core）とで構成される。Ｅ−ＵＴＲＡＮは、多数の基地局（基地局装置）で構成される。ＬＴＥでは、基地局はｅＮｏｄｅＢ（以下、「ｅＮＢ」と表記する。）と称される。ｅＮＢ同士は、Ｘ２インタフェースを介して接続される。また、各ｅＮＢは、Ｓ１インタフェースを介して、直接、ＥＰＣに接続される。なお、Ｘ２インタフェース及びＳ１インタフェースはいずれも論理インタフェースである。Ｓ１インタフェースは、ユーザプレーン（Ｕ−Ｐｌａｎｅ）の信号（ユーザデータ）を伝送するためのＳ１−Ｕインタフェースと、制御信号を伝送するためのＳ１−ＭＭＥインタフェースとで構成される。Ｓ１−Ｕインタフェースは、各ｅＮＢと、ゲートウェイ装置であるＳ−ＧＷ（Serving Gateway）とを接続する。Ｓ１−ＭＭＥインタフェースは、各ｅＮＢと、ＭＭＥ（移動管理装置）とを接続する。
【００１５】
図１は、本発明の実施形態に係るノード装置であるＭＥＣノード１０を含むネットワーク構成例を示す図である。ＭＥＣノード１０は、エッジコンピューティング（本実施形態ではＭＥＣ）のためのノード装置である。図１では、コアネットワーク内の移動管理装置及びゲートウェイ装置の一例として、それぞれ、ＥＰＣのＭＭＥ１１及びＳ−ＧＷ１２を示している。なお、規格化が進められている５Ｇモバイルネットワークでは、移動管理装置はＡＭＦ（Access and Mobility Management Function）と称され、ゲートウェイ装置はＵＰＦ（User Plane Function）と称されている。
【００１６】
本実施形態では、図１に示すように、ＭＭＥ１１に収容されている複数のｅＮＢと、ＭＭＥ１１を含むＥＰＣとの間に（ｅＮＢとＭＭＥ１１との間の制御チャネル上に）ＭＥＣノード１０を配置する。これにより、ＭＭＥ１１に収容されている多数のｅＮＢの少なくとも一部をＭＥＣノード１０に収容させるとともに、ＭＥＣノード１０をＭＭＥ１１に収容させる。ＭＥＣノード１０は、Ｓ１インタフェース（Ｓ１−Ｕインタフェース又はＳ１−ＭＭＥインタフェース）を介してｅＮＢとＥＰＣとの間で伝送されるパケットの中身を解析（パケットを解読）する機能（ＤＰＩ機能）を有するように構成される。
【００１７】
ＭＥＣノード１０には、図１の例のように５個のｅＮＢに限らず、任意の数のｅＮＢを収容することが可能である。また、１つのＭＭＥ１１に対して、それぞれ異なるｅＮＢ群を収容する複数のＭＥＣノード１０を収容してもよい。なお、図１のネットワーク構成例は、機能構成を示すものであり、必ずしも物理的な構成を示すものではない。例えば、ＭＥＣノード１０は、ゲートウェイ装置（Ｓ−ＧＷ又はＰ−ＧＷ（Packet Data Network Gateway））と同一の筐体に物理的に実装されてもよい。
【００１８】
＜ページング処理＞
ここで、図１２を参照して、本実施形態の前提となる、ＬＴＥネットワークにおけるページング処理の概要について説明する。
【００１９】
ＭＭＥは、無線端末（ＵＥ）の位置を管理するために、複数のＴＡ（トラッキングエリア）を管理している。各ＴＡは、１つ以上のｅＮＢ（１つ以上のセル）によって構成される、ＵＥの位置を示すセル単位である。ＭＭＥは、ＵＥごとに、１つ以上のＴＡをリスト化し、当該１つ以上のＴＡの識別子（ＴＡＩ）のリストであるＴＡＩリスト（TAI-List）を生成し、ＵＥに割り当てる。ＴＡＩリストには、通常、ＵＥが直近に在圏していたＴＡのＴＡＩ等が含まれる。図１２の例では、ＭＭＥは、３つのＴＡ（ＴＡ＃１，ＴＡ＃２，ＴＡ＃３）を管理しており、ＴＡ＃１及びＴＡ＃２のＴＡＩから成るＴＡＩリストをＵＥに割り当てている。
【００２０】
ＴＡＩリストは、ＵＥが在圏している限りＭＭＥへ位置登録要求を行う必要がないエリア（ＴＡ群）に対応する。ＵＥは、ＴＡＩリスト外のＴＡへ移動すると、当該ＴＡ内のｅＮＢを介して、ＵＥが在圏しているＴＡが設定されたTAU (Tracking Area Update) Request（位置登録要求）メッセージをＭＭＥへ送信する。これにより、ＭＭＥが保持する、ＵＥが在圏するＴＡを示す在圏情報が更新される。
【００２１】
ＬＴＥネットワークでは、インターネット等の外部ネットワークからＵＥ向けのユーザデータパケットが発生すると、Ｓ−ＧＷからＭＭＥへDownlink Data Notification（下りリンクデータ通知）が送信される。ＭＭＥは、下りリンクデータ通知を受信すると、対象となるＵＥの在圏情報に基づいて、当該ＵＥのページングを行う。具体的には、ＭＭＥは、所定のページングポリシーに従って、１つ以上のｅＮＢへ、対象となるＵＥのページングのためのページングメッセージを送信する。図１２の例では、ＵＥにより位置登録が行われているＴＡ＃１に対してページングが行われている。
【００２２】
ＭＭＥからページングメッセージを受信したｅＮＢは、当該ｅＮＢが形成しているセル内へページングメッセージを送信する。図１２に示すように、ページング対象のＵＥは、ｅＮＢからページングメッセージの受信に応じて、Service Request（サービス要求）メッセージを、当該ページングメッセージの送信元のｅＮＢ＃２を介してＭＭＥへ送信する。これにより、ＵＥとｅＮＢ＃２との間のコネクション、及びｅＮＢ＃２とＳ−ＧＷとの間のコネクションが確立され、当該コネクションを介した下りリンク及び上りリンクのデータ伝送が可能になる。
【００２３】
ＭＭＥが用いる上述のページングポリシーは、ページングの範囲（ページングエリア）及び頻度（時間間隔）等を定める。ページングポリシーには、例えば、（１）ＵＥが直近に在圏していたｅＮＢ（Last eNB）、（２）ＵＥが直近に位置登録しているＴＡ（Last TAI）、（３）ＴＡＩリスト（TAI-List）、の順に、ページングを行うことが定められうる。あるいは、（１）Last TAI、（２）TAI-List、（３）TAI-List、の順に、ページングを行う（即ち、Last TAIに対するページングの後に、TAI-Listに対するページングを２回繰り返す）ことが定められうる。
【００２４】
本実施形態では、ＭＭＥ１１は、ＵＥ単位でのページングポリシーの制御を行わず、ＵＥによらず予め設定されたページングポリシーに従って、各ＵＥのページング処理（即ち、ページングメッセージを、Ｓ１−ＭＭＥインタフェースを介して１つ以上のｅＮＢへ送信する処理）を行う。その一方で、ｅＮＢとＭＭＥ１１との間に設けられたＭＥＣノード１０によって、ＵＥ単位でのページングポリシーの制御（調整）を実現する。
【００２５】
具体的には、ＭＥＣノード１０は、複数のｅＮＢのそれぞれとＭＭＥ１１との間で伝送されるシグナリング情報を解析することにより、当該複数のｅＮＢのセル内に存在するＵＥのページングにおけるページング範囲を調整するための情報を収集する。収集される情報は、例えば、ＵＥの移動状況を示す情報及び通信状況を示す情報の少なくともいずれかである。ＭＥＣノード１０は、ＭＭＥ１１によって所定のページングポリシーに従って１つ以上のｅＮＢに向けて送信された、ＵＥのページングのためのページングメッセージを受信すると、上記のように収集した情報に基づいてページング範囲を決定する。更に、ＭＥＣノード１０は、決定したページング範囲に含まれる各ｅＮＢへ、ＵＥのページングのためのページングメッセージを送信する。
【００２６】
このようにして、エッジコンピューティングを利用してＵＥ単位でページング処理を制御する。これにより、ＭＭＥ１１におけるページング処理に伴うトランザクション負荷を増加させずに、ＵＥ単位でページングポリシーを制御することを実現する。即ち、既存の移動管理装置（ＭＭＥ）の動作に影響を与えずに、ページングポリシーをＵＥ単位で制御（調整）することが可能になる。
【００２７】
以下では、このようなページング処理を実現するためのＭＥＣノードの構成例、及び、ＭＥＣノードにおける具体的な処理手順の例について説明する。
【００２８】
＜ＭＥＣノードの構成＞
図２は、本実施形態に係るＭＥＣノード１０のハードウェア構成例を示すブロック図である。ＭＥＣノード１０は、ＣＰＵ２１、ＲＯＭ２２、ＲＡＭ２３、外部記憶装置２４（ＨＤＤ等）、及び通信装置２５（通信インタフェース）を有する。
【００２９】
ＭＥＣノード１０では、例えばＲＯＭ２２、ＲＡＭ２３及び外部記憶装置２４のいずれかに格納された、ＭＥＣノード１０の各機能を実現するプログラムがＣＰＵ２１によって実行される。なお、ＣＰＵ２１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００３０】
通信装置２５は、ＣＰＵ２１により制御下で、ＥＰＣ内のＭＭＥ１１又はＳ−ＧＷ１２と、ＭＥＣノード１０に収容されている各ｅＮＢとの間で伝送されるパケットの転送（受信及び送信）、及び各ｅＮＢとの通信（例えば、各ｅＮＢからのローカル情報の取得）を行いうる。また、通信装置２５は、ＣＰＵ２１による制御下で、隣接する他のＭＥＣノードとの通信を行いうる。ＭＥＣノード１０は、それぞれ接続先が異なる複数の通信装置２５を有していてもよい。
【００３１】
なお、ＭＥＣノード１０は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００３２】
図３は、本実施形態に係るＭＥＣノード１０の機能構成例を示すブロック図である。ＭＥＣノード１０の各機能は、例えば図２のハードウェアによって実現される論理的な機能であり、ＣＰＵ２１がＲＯＭ２２等に格納されたプログラムを実行することによって実現されうる。本実施形態では、ＭＥＣノード１０は、パケット送受信部３１、フロー識別部３２、シグナリング解析部３３、端末情報解析部３４、情報管理部３５、及び制御部３６を有する。なお、ＭＥＣノード１０は、収容している各ｅＮＢからローカル情報（例えば、各ｅＮＢのセル内の無線通信状況を示す情報）を取得する機能を実現するためのローカル情報取得部３７を更に有していてもよい。
【００３３】
パケット送受信部３１は、ｅＮＢとＥＰＣとの間で伝送されるパケットを受信する機能、及びｅＮＢ又はＥＰＣへパケットを送信する機能を有する。フロー識別部３２は、パケット送受信部３１によって受信されたパケットのフロー識別を行う。本実施形態では、フロー識別部３２は、一連の受信パケットのフローが、シグナリング情報（制御情報）を含む制御パケット（Ｓ１−ＭＭＥパケット）のフローであるか、ユーザデータを含むデータパケット（Ｓ１−Ｕパケット）のフローであるかを識別する。
【００３４】
シグナリング解析部３３は、複数のｅＮＢ及びＭＭＥ１１のいずれかから受信されたパケットに含まれるシグナリング情報を解析して、当該受信パケットが対象としているＵＥ（対象ＵＥ）、及び当該受信パケットに含まれるメッセージの種別を識別する。シグナリング解析部３３は、それらの識別結果を端末情報解析部３４へ出力する。
【００３５】
また、シグナリング解析部３３は、解析対象のシグナリング情報が暗号化されている場合には、識別された対象ＵＥによって使用されている暗号化情報（暗号化キー）を情報管理部３５から取得する。更に、シグナリング解析部３３は、取得した暗号化情報を用いて、対象ＵＥに関する暗号化されたシグナリング情報を復号する。
【００３６】
シグナリング解析部３３は、シグナリング情報の解析における、対象ＵＥについての暗号化されたシグナリング情報の復号に使用可能な暗号化情報を、ＭＥＣノード１０（情報管理部３５）が保持していない場合には、対象ＵＥ用の使用可能な暗号化情報が存在しないことを、端末情報解析部３４及び制御部３６へ通知する。例えば、情報管理部３５が管理しているユーザ情報テーブルに含まれる、対象ＵＥの暗号化情報を用いて、暗号化されたシグナリング情報を復号できない場合に、上述の通知が行われる。また、情報管理部３５が管理しているユーザ情報テーブルから、対象ＵＥに対応する（暗号化情報を含む）レコードが削除されたことにより、対象ＵＥの暗号化情報を喪失している場合に、上述の通知が行われてもよい。
【００３７】
制御部３６は、シグナリング解析部３３から上述の通知を受けると、後述する再接続制御（図１０及び図１１）により、対象ＵＥの暗号化情報を取得する。なお、暗号化情報は、後述するように、端末情報解析部３４によって、隣接する他のＭＥＣノードから取得される場合もある。
【００３８】
端末情報解析部３４は、シグナリング解析部３３によって識別されたメッセージ種別に応じて、受信パケットに含まれるメッセージから情報を収集し、収集した情報を情報管理部３５に保持（管理）させる。例えば、端末情報解析部３４は、上記のメッセージが、アタッチ、位置登録、又はハンドオーバに関連するメッセージであれば、当該メッセージから、対象ＵＥの移動状況を示す情報を収集する。また、端末情報解析部３４は、上記のメッセージが、無線接続又は無線解放に関連するメッセージであれば、当該メッセージから、対象ＵＥの通信状況を示す情報を収集する。以下では、移動状況を示す情報としてＵＥの移動履歴を、通信状況を示す情報としてＵＥの通信履歴を収集する場合の、ＭＥＣノード１０によって実行される処理の具体例を説明している。
【００３９】
また、端末情報解析部３４は、隣接する他のＭＥＣノードから、シグナリング解析部３３によって識別された対象ＵＥの暗号化情報（暗号化キー）を取得する機能を有する。具体的には、端末情報解析部３４は、受信パケットに含まれる暗号化されていないシグナリング情報に基づいて、対象ＵＥがＭＥＣノード１０に収容される直前に収容されていた他のＭＥＣノードを特定し、特定した当該他のノード装置から暗号化情報を取得する。
【００４０】
ただし、受信パケットに含まれるメッセージの種別に応じて、シグナリング情報に基づいて特定したＭＥＣノードが、暗号化情報を有している場合と有していない場合とがある。例えば、当該メッセージが、異なるＭＭＥによって管理されるエリア間の対象ＵＥの移動を伴わない位置登録又はハンドオーバに関連するメッセージである場合には、シグナリング情報に基づいて特定したＭＥＣノードが、暗号化情報を有している。このため、このような場合に、シグナリング情報に基づいて他のＭＥＣノードを特定し、暗号化情報の取得を試みることが有効である。
【００４１】
なお、対象ＵＥが、いずれのＭＥＣノードにも収容されていないｅＮＢのセルから、ＭＥＣノード１０に収容されているｅＮＢのセルへハンドオーバを行った場合には、対象ＵＥが直前に収容されていた他のＭＥＣノードは存在しない。即ち、暗号化情報についての問い合わせ先となるべき他のＭＥＣノードが存在せず、ＭＥＣノード１０は、他のＭＥＣノードから暗号化情報を取得することはできない。端末情報解析部３４は、このように他のＭＥＣノードから暗号化情報を取得できなかった場合、そのことを制御部３６へ通知する。制御部３６は、端末情報解析部３４から通知を受けると、後述する再接続制御により、対象ＵＥの暗号化情報を取得する。
【００４２】
情報管理部３５は、後述する図４に例示されるような、基地局情報、隣接ＭＥＣノード情報、及びユーザ情報を管理する。端末情報解析部３４によって収集された情報は、ユーザ情報として情報管理部３５で管理されうる。情報管理部３５は、ＲＡＭ２３又は外部記憶装置２４に各情報を格納した状態で、各情報を管理する。
【００４３】
制御部３６は、ＭＭＥ１１からページングメッセージが受信されると、端末情報解析部３４によって収集され、情報管理部３５によって管理されている情報に基づいて、ページング範囲を決定する。更に、制御部３６は、決定したページング範囲に含まれる各ｅＮＢへページングメッセージを送信する。また、制御部３６は、シグナリング解析部３３又は端末情報解析部３４からの通知に応じて、後述する再接続制御により、対象ＵＥの暗号化情報を取得する。
【００４４】
＜情報管理部の管理情報＞
次に、図４を参照して、情報管理部３５が管理する情報の例について説明する。情報管理部３５は、図４に示すように、各情報をテーブル形式で管理しうる。
【００４５】
図４（Ａ）は、情報管理部３５が管理する基地局情報テーブルの一例である。基地局情報は、基地局（ｅＮＢ）の識別情報と、当該識別情報に対応付けられた、各ｅＮＢが属するＴＡに対応するＴＡＩ、及び各ｅＮＢが収容されているＭＥＣノードを示す情報とを含む。基地局情報は、ＭＥＣノード１０に対して予め設定される情報であり、後述する端末登録処理等に使用される。なお、基地局情報は、ネットワーク構成の変更（例えば、ＭＥＣノード１０又は隣接ＭＥＣノードに収容されるｅＮＢの追加）に応じて更新されてもよい。
【００４６】
図４（Ｂ）は、情報管理部３５が管理する隣接ＭＥＣノード情報テーブルの一例である。隣接ＭＥＣノード情報は、ＭＥＣノード１０に隣接する各ＭＥＣノードの情報として、各ＭＥＣノードが収容されているＭＭＥ、及び各ＭＥＣノードに割り当てられたＩＰアドレスを含む。隣接ＭＥＣノード情報は、ＭＥＣノード１０に対して予め設定される情報であり、後述する端末登録処理等に使用される。なお、隣接ＭＥＣノード情報は、ネットワーク構成の変更（例えば、隣接ＭＥＣノードの追加）に応じて更新されてもよい。
【００４７】
図４（Ｃ）は、情報管理部３５が管理するユーザ情報テーブルの一例である。ユーザ情報テーブルは、無線端末（ＵＥ）ごとのレコードとして、当該ＵＥの端末ＩＤに対応付けられた暗号化情報、及び端末情報解析部３４により収集された情報（履歴情報）を含む。ユーザ情報テーブルに保持される情報は、ＭＥＣノード１０に収容されている又は収容されたことがあるＵＥに関する情報に相当する。暗号化情報は、パケット送受信部３１によって受信された制御パケットに含まれる（ｅＮＢを介してＵＥとＭＭＥ１１との間で送受信される）ＮＡＳ（非アクセス層）メッセージの解読に使用される、ＮＡＳ暗号化情報（暗号化キー）である。履歴情報は、ＵＥの移動履歴及び通信履歴の少なくともいずれかを含む。
【００４８】
ここで、ＮＡＳは、ＵＥとＭＭＥとの間のプロトコルスタックにおける機能レイヤである。ＮＡＳのメッセージは、ＭＭＥとｅＮＢとの間ではＳ１ＡＰ（アプリケーションプロトコル）のメッセージのペイロードとして伝送され、ｅＮＢとＵＥとの間ではＲＲＣ（無線リソース制御）プロトコルのメッセージのペイロードとして伝送される。このようにして、ＮＡＳメッセージは、下位レイヤのメッセージにカプセリングされた状態でｅＮＢを透過する。ＮＡＳメッセージの暗号化は、ＮＡＳ暗号化情報を使用して、送信ノード（ＵＥ又はＭＭＥ）によって行われる。なお、ＮＡＳメッセージのヘッダ部分には、当該ＮＡＳメッセージが暗号化されているか否かを示すフラグが付与される。このため、当該フラグを参照することによって、ＮＡＳメッセージが暗号化されているか否かを識別できる。
【００４９】
ユーザ情報テーブルは、更に、ＵＥごとのレコードとして、制御部３６によって使用される接続ベアラ情報及び再接続待ちフラグを含む。接続ベアラ情報は、対応するＵＥに対して確立されているベアラを示す情報である。本実施形態では、接続ベアラ情報として、Ｓ１ＡＰで使用される、Ｅ−ＲＡＢ ＩＤ、ＱＣＩ（QoS Class Identifier）及びＡＲＰ（Allocation and Retention Priority）が保持される。ＱＣＩ及びＡＲＰは、ＵＥに対して確立されているベアラのサービス品質に関連するパラメータの一例である。このように、情報管理部３５は、ユーザ情報テーブル内で、ＵＥに対して確立されているベアラのサービス品質に関連するパラメータを、ＵＥごとに保持している。
【００５０】
また、ユーザ情報テーブル内の再接続待ちフラグは、後述する再接続制御における、対応するＵＥに対するデタッチ処理（図１０（Ａ）のＳ４０３又は図１０（Ｂ）のＳ５０４）の実行が保留された状態であるか否かを示すフラグである。このデタッチ処理は、ＵＥの認証を伴う、ＥＰＣ（コアネットワーク）への再アタッチを当該ＵＥに実行させる制御信号を、当該ＵＥへ送信することによって開始される。本実施形態では、制御部３６は、再接続制御におけるデタッチ処理の実行対象のＵＥに対して、音声通信用のベアラ等の特定のベアラが確立されている間には、デタッチ処理の実行を保留し、特定のベアラが解放された後にデタッチ処理を実行する。
【００５１】
再接続制御においてＵＥに対してデタッチ処理が制御部３６によって実行されると、当該ＵＥに対して確立されているベアラが解放され、当該ＵＥが実行中の通信が一時的に切断される。しかし、音声通信等のリアルタイム性を要する通信が行われている場合には、このような通信の切断は避ける必要がある。そこで、デタッチ処理によるこのような通信の切断を避けるために、制御部３６は、情報管理部３５によって保持されている切断禁止テーブルにおいて定められたパラメータに対応するベアラ（例えば、ＱＣＩ＝５、かつ、ＡＲＰ＝４のベアラ）が確立されている間には、デタッチ処理を実行しないようにする。
【００５２】
情報管理部３５は、ユーザ情報テーブル内のレコードが無制限に増加し、ＲＡＭ２３等の計算資源を過剰に消費することを避けるために、後述するように、ユーザ情報テーブル内の不要となったレコードを削除する機能を有していてもよい。
【００５３】
＜ＭＥＣノードの処理手順＞
図５は、ＭＥＣノード１０によって実行される処理の手順を示すフローチャートである。ＭＥＣノード１０では、ＥＰＣと、ＭＥＣノード１０に収容されているｅＮＢとの間で伝送されるパケットが、パケット送受信部３１によって受信されるごとに、図５の手順による処理を実行する。なお、図５乃至図８及び図１０に示される各ステップの処理の実行順序は、図示される順序に限定されず、順序を任意に変更して実行することも可能である。
【００５４】
まずＳ１で、パケット送受信部３１が、ＥＰＣ又はｅＮＢから送信されたパケットを受信すると、当該受信パケットをフロー識別部３２へ出力する。次にＳ２で、フロー識別部３２は、受信したパケットのフロー識別を行う。具体的には、フロー識別部３２は、受信パケットが制御パケット（Ｓ１−ＭＭＥパケット）であるか否かを判定し、受信パケットが制御パケットである場合には、Ｓ３へ処理を進める。一方、フロー識別部３２は、受信パケットが制御パケットではない（即ち、ユーザデータを含むＳ１−Ｕパケットである）場合には、Ｓ１１へ処理を進める。この場合、Ｓ１１で、パケット送受信部３１は、フロー識別部３２によるフロー識別の結果に基づいて、受信パケットを、当該受信パケットにおいて指定された本来の宛先へ送信（転送）し、処理を終了する。
【００５５】
Ｓ３で、シグナリング解析部３３は、受信パケットに含まれるシグナリング情報を解析して、当該受信パケットが対象としているＵＥ（対象ＵＥ）、及び当該受信パケットに含まれるメッセージの種別を識別する。シグナリング解析部３３は、それらの識別結果を端末情報解析部３４へ出力する。なお、シグナリング解析部３３は、暗号化されたシグナリング情報を解析するために、情報管理部３５によって必要な暗号化情報が管理されている場合には、当該暗号化情報を使用する。
【００５６】
次にＳ４で、端末情報解析部３４は、識別された対象ＵＥに対応付けられた情報（図４（Ｃ）の暗号化情報及び履歴情報）が、情報管理部３５によってユーザ情報テーブル内に保持（管理）されているか否かを判定する。端末情報解析部３４は、対象ＵＥの対応情報が保持されていない場合にはＳ５へ処理を進め、保持されている場合にはＳ７へ処理を進める。なお、端末情報解析部３４は、ユーザ情報テーブル内に、対象ＵＥの端末ＩＤ及び再接続待ちフラグのみが保持されている場合には、対応情報が保持されていないと判定し、Ｓ５へ処理を進める。
【００５７】
Ｓ５で、端末情報解析部３４は、対象ＵＥに対応する再接続待ちフラグがＯＮに設定されているか否かを判定し、ＯＮに設定されている場合には、Ｓ１０へ処理を進める。この場合、端末情報解析部３４は、対象ＵＥに対して特定のベアラが確立されている間に、ｅＮＢ及びＭＭＥ１１のいずれかからパケットを受信しても、他のノード装置（隣接ＭＥＣノード）へ暗号化情報の問い合わせを行わない（図６のＳ１０６の処理を実行しない）ように動作する。これにより、後述する再接続制御（図１０（Ｂ））により対象ＵＥの暗号化情報が取得されるまで、端末情報解析部３４が他のＭＥＣノードへ暗号化情報の問い合わせを実行する（繰り返す）ことを抑制できる。即ち、他のＭＥＣノードへ暗号化情報の問い合わせを、制御パケットの受信ごとに繰り返すことによる無駄な処理の発生を抑制できる。
【００５８】
Ｓ５で、端末情報解析部３４は、再接続待ちフラグがＯＦＦに設定されている場合には、Ｓ６へ処理を進める。Ｓ６では、端末情報解析部３４は、図６に示す手順により、対象ＵＥについて端末登録処理を実行する。Ｓ６の処理が完了すると、端末情報解析部３４は、処理をＳ１０へ進める。
【００５９】
一方、Ｓ７で、端末情報解析部３４は、シグナリング解析部３３からの通知に基づいて、情報管理部３５によって管理されている、対象ＵＥの暗号化情報の不正が検出されたか否かを判定する。端末情報解析部３４は、対象ＵＥの暗号化情報を用いて、暗号化されたシグナリング情報を正しく復号できない（対象ＵＥ用の使用可能な暗号化情報が存在しない）ことが通知された場合には、対象ＵＥの暗号化情報の不正が検出されたと判定し、Ｓ９へ処理を進める。この場合、Ｓ９で、制御部３６は、図１０（Ａ）に示す手順により、対象ＵＥについて再接続制御を実行する。
【００６０】
Ｓ７で、端末情報解析部３４は、対象ＵＥの暗号化情報の不正が検出されなかったと判定した場合には、Ｓ８へ処理を進める。Ｓ８では、端末情報解析部３４は、図７に示す手順により、対象ＵＥについて情報更新処理を実行する。Ｓ８の処理が完了すると、端末情報解析部３４は、処理をＳ１０へ進める。
【００６１】
端末登録処理（Ｓ６）若しくは情報更新処理（Ｓ８）が完了した場合、再接続待ちフラグがＯＮに設定されている場合（Ｓ５で「ＹＥＳ」）、又は、図１０（Ａ）に示す手順による処理が完了した場合、Ｓ１０で、制御部３６は、シグナリング解析部３３による識別結果に基づいて、受信パケットに含まれるメッセージの種別がページングであるか否かを判定する。制御部３６は、メッセージ種別がページングではない場合には、Ｓ１１へ処理を進める。この場合、Ｓ１１で、パケット送受信部３１は、受信パケットを、当該受信パケットにおいて指定された本来の宛先へ送信（転送）し、処理を終了する。一方、制御部３６は、メッセージ種別がハンドオーバである場合、Ｓ１２へ処理を進め、図８に示す手順により、ページング制御を実行する。ページング制御の完了後、制御部３６は、図５の手順による処理を終了する。
【００６２】
＜端末登録処理＞
次に、図６を参照して、端末登録処理（Ｓ６）の手順について説明する。端末登録処理は、対象ＵＥの情報を、情報管理部３５によって管理されるユーザ情報に登録することによって、対象ＵＥをＭＥＣノード１０に収容（登録）する処理である。
【００６３】
まず端末情報解析部３４は、Ｓ１０１〜Ｓ１０４において、シグナリング解析部３３による識別結果に基づいて、受信パケットに含まれるメッセージの種別を判別し、判別した種別に応じた処理を実行する。具体的には、端末情報解析部３４は、メッセージ種別が、ＩＭＳＩ（International Mobile Subscriber Identity）アタッチ、ＧＵＴＩ（Globally. Unique Temporary Identifier）アタッチ、Ｘ２ハンドオーバ、Ｓ１ハンドオーバ、及び位置登録、のいずれかであるかを判定する。端末情報解析部３４は、メッセージ種別がこれらの種別のいずれでもない場合には、受信パケットに基づく処理を行わずに、端末登録処理を終了する。
【００６４】
（ＩＭＳＩアタッチ）
端末情報解析部３４は、メッセージ種別がＩＭＳＩアタッチである場合（Ｓ１０１で「ＹＥＳ」）、Ｓ１１０へ処理を進める。ＩＭＳＩアタッチ及び後述するＧＵＴＩアタッチは、ＵＥの電源ＯＮ時等に、ＵＥがネットワークに新規接続（ＵＥをネットワークに登録）するためにｅＮＢを介してＭＭＥ１１へ送信するAttach Request（アタッチ要求）メッセージに基づいて特定されうる。とりわけ、ＩＭＳＩアタッチ要求は、ＵＥが初めてネットワークに登録される際に行われるため、隣接ＭＥＣノードに当該ＵＥの情報は保持されていない。このため、端末情報解析部３４は、Ｓ１０６の処理を行わずに、Ｓ１１０へ処理を進める。
【００６５】
なお、ＩＭＳＩアタッチは、ＵＥ（無線端末）の認証を伴うアタッチに相当する。ＩＭＳＩアタッチが行われる場合、Ｓ１１０において、受信パケットに含まれるシグナリング情報から、対象ＵＥの暗号化情報が取得され、情報管理部３５によって管理されているユーザ情報テーブルに保存されうる。
【００６６】
（ＧＵＴＩアタッチ）
端末情報解析部３４は、メッセージ種別がＧＵＴＩアタッチである場合（Ｓ１０２で「ＹＥＳ」）、Ｓ１０６へ処理を進める。ＧＵＴＩアタッチ要求を行った対象ＵＥの暗号化情報は、隣接ＭＥＣノードによって保持されている可能性がある。このため、Ｓ１０６で、端末情報解析部３４は、隣接ＭＥＣノードに対して、対象ＵＥの暗号化情報についての問い合わせを行うことにより、隣接ＭＥＣノードからの対象ＵＥの暗号化情報の取得を試みる。
【００６７】
具体的には、端末情報解析部３４は、Attach Requestメッセージ内の「Last visited registered TAI」要素を参照し、対象ＵＥが直前に（最後に）在圏していたＴＡに対応するＴＡＩを取得する。更に、端末情報解析部３４は、情報管理部３５によって管理されている基地局情報に基づいて、取得したＴＡＩと対応付けられた収容ＭＥＣノードを、対象ＵＥが直前に収容されていたＭＥＣノードとして特定し、当該ＭＥＣノードに対して問い合わせを行う。また、端末情報解析部３４は、対象ＵＥが直前に在圏していたＴＡに対応するＴＡＩを取得できない場合には、Attach Requestメッセージ内の「Additional GUTI」要素に格納されているＧＵＴＩに基づいて、対象ＵＥが直前に収容されていた１つ以上のＭＥＣノードとして推測する。更に、端末情報解析部３４は、推測した各ＭＥＣノードに対して問い合わせを行う。その後、端末情報解析部３４は、Ｓ１０７へ処理を進める。
【００６８】
（Ｘ２ハンドオーバ）
端末情報解析部３４は、メッセージ種別がＸ２ハンドオーバである場合（Ｓ１０３で「ＹＥＳ」）、Ｓ１０６へ処理を進める。Ｘ２ハンドオーバは、同じＭＭＥ１１に属するｅＮＢ間で行われるハンドオーバである。Ｘ２ハンドオーバでは、ハンドオーバ元のｅＮＢとハンドオーバ先のｅＮＢとの間でＸ２インタフェースを介して制御メッセージが送受信されるとともに、ハンドオーバ先のｅＮＢからＭＭＥ１１へPath Switch Request（パス切替要求）メッセージが送信される。Ｘ２ハンドオーバは、このPath Switch Requestメッセージに基づいて特定されうる。
【００６９】
Ｓ１０６では、端末情報解析部３４は、上述のように、隣接ＭＥＣノードからの対象ＵＥの暗号化情報の取得を試みる。具体的には、端末情報解析部３４は、Path Switch Requestメッセージ内の「Source MME GUMMEI」要素に情報が含まれている場合には、当該情報に基づいて、対象ＵＥが最後に収容されていたＭＭＥを特定する。更に、端末情報解析部３４は、情報管理部３５によって管理されている隣接ＭＥＣノード情報に基づいて、特定したＭＭＥと対応付けられた収容ＭＥＣノードを、対象ＵＥが直前に収容されていた１つ以上のＭＥＣノードとして推測する。端末情報解析部３４は、推測した各ＭＥＣノードに対して問い合わせを行う。一方、Path Switch Requestメッセージ内の「Source MME GUMMEI」要素に情報が含まれていない場合には、端末情報解析部３４は、情報管理部３５によって管理されている隣接ＭＥＣノード情報に基づいて、全ての隣接ＭＥＣノードに対して問い合わせを行う。その後、端末情報解析部３４は、Ｓ１０７へ処理を進める。
【００７０】
（位置登録又はＳ１ハンドオーバ）
端末情報解析部３４は、メッセージ種別が位置登録又はＳ１ハンドオーバである場合（Ｓ１０４で「ＹＥＳ」）、Ｓ１０５へ処理を進める。位置登録は、ＵＥからＭＭＥ１１へTAU Requestメッセージに基づいて特定され、Ｓ１ハンドオーバは、ＭＭＥ１１からハンドオーバ先のｅＮＢへ送信されるHandover Request（ハンドオーバ要求）メッセージに基づいて特定されうる。Ｓ１０５で、端末情報解析部３４は、位置登録又はＳ１ハンドオーバが、対象ＵＥのＭＭＥ間の移動を伴っているか否かを判定し、伴っている場合にはＳ１１０へ処理を進め、伴っていない場合にはＳ１０６へ処理を進める。なお、位置登録又はＳ１ハンドオーバが、対象ＵＥのＭＭＥ間の移動を伴っている場合、Ｓ１１０において、対象ＵＥと新しい接続先のＭＭＥとの間でやりとりされるシグナリング情報から、対象ＵＥの暗号化情報が取得され、情報管理部３５によって管理されるユーザ情報テーブルに保存されうる。
【００７１】
ＭＭＥ間の移動を伴わない位置登録又はＳ１ハンドオーバが行われる場合、対象ＵＥが直前に収容されていたＭＥＣノードから、対象ＵＥの暗号化情報を取得できる可能性がある。このため、Ｓ１０６で、端末情報解析部３４は、上述のように、隣接ＭＥＣノードからの対象ＵＥの暗号化情報の取得を試みる。
【００７２】
具体的には、端末情報解析部３４は、メッセージ種別が位置登録の場合、TAU Requestメッセージ内の「Last visited registered TAI」要素を参照し、対象ＵＥが直前に（最後に）在圏していたＴＡに対応するＴＡＩを取得する。更に、端末情報解析部３４は、情報管理部３５によって管理されている基地局情報に基づいて、取得したＴＡＩと対応付けられた収容ＭＥＣノードを、対象ＵＥが直前に収容されていたＭＥＣノードとして特定し、当該ＭＥＣノードに対して問い合わせを行う。また、端末情報解析部３４は、対象ＵＥが直前に在圏していたＴＡに対応するＴＡＩを取得できない場合には、TAU Requestメッセージ内の「Old GUTI」要素に格納されているＧＵＴＩに基づいて、対象ＵＥが直前に収容されていた１つ以上のＭＥＣノードとして推測する。更に、端末情報解析部３４は、推測した各ＭＥＣノードに対して問い合わせを行う。その後、端末情報解析部３４は、Ｓ１０７へ処理を進める。
【００７３】
また、端末情報解析部３４は、メッセージ種別がＳ１ハンドオーバの場合、Handover Requestメッセージ内の「Source eNB to Target eNB Transparent Container」要素に含まれる「Last Visited Cell Information」を参照して、対象ＵＥが直前に収容されていたｅＮＢに対応するＥＣＧＩ（E-UTRAN Cell Global Identifier）を取得する。更に、端末情報解析部３４は、情報管理部３５によって管理されている基地局情報に基づいて、取得したＥＣＧＩが示すｅＮＢが収容されているＭＥＣノードを特定し、当該ＭＥＣノードに対して問い合わせを行う。その後、端末情報解析部３４は、Ｓ１０７へ処理を進める。
【００７４】
Ｓ１０７で、端末情報解析部３４は、Ｓ１０６において隣接ＭＥＣノードからの対象ＵＥの暗号化情報の取得に成功したか否かを判定し、成功した場合にはＳ１１０へ処理を進める。Ｓ１１０で、端末情報解析部３４は、受信パケットに含まれるシグナリング情報から収集された情報を、情報管理部３５によって管理されているユーザ情報テーブルに保存する。また、端末情報解析部３４は、Ｓ１０６において隣接ＭＥＣノードからの暗号化情報の取得に成功した場合には、取得した暗号化情報を、ユーザ情報管理テーブルに保存する。その後、端末情報解析部３４は、Ｓ１１０で、対象ＵＥについての移動履歴及び通信履歴の収集を開始し、端末登録処理を終了する。なお、移動履歴及び通信履歴は、図７を用いて後述するように、受信パケットのメッセージ種別に応じて取得できる。
【００７５】
一方、端末情報解析部３４は、Ｓ１０６において隣接ＭＥＣノードからの対象ＵＥの暗号化情報の取得に失敗した場合には、Ｓ１０７からＳ１０８へ処理を進める。端末情報解析部３４は、隣接ＭＥＣノードから対象ＵＥの暗号化情報を取得できなかった場合、Ｓ１０８で、対象ＵＥの端末ＩＤを、情報管理部３５によって管理されているユーザ情報テーブルに保存し、Ｓ１０９へ処理を進める。Ｓ１０９で、制御部３６は、図１０（Ａ）に示す手順により、対象ＵＥについて再接続制御を実行する。
【００７６】
＜情報更新処理＞
次に、図７を参照して、情報更新処理（Ｓ８）の手順について説明する。情報更新処理は、受信パケットに基づいて、情報管理部３５によってユーザ情報として管理されている、対象ＵＥの移動履歴又は通信履歴を更新する処理である。
【００７７】
まず端末情報解析部３４は、Ｓ２０１〜Ｓ２０２において、受信パケットに含まれるメッセージの種別を判別し、判別した種別に応じた処理を実行する。具体的には、端末情報解析部３４は、メッセージ種別が、無線接続、無線解放、Ｘ２ハンドオーバ、Ｓ１ハンドオーバ、及び位置登録、のいずれかであるかを判定する。端末情報解析部３４は、メッセージ種別がこれらの種別のいずれでもない場合には、受信パケットに基づく処理を行わずに、情報更新処理を終了する。
【００７８】
（無線接続又は解放）
端末情報解析部３４は、メッセージ種別が無線接続又は解放である場合（Ｓ２０１で「ＹＥＳ」）、Ｓ２０３へ処理を進める。無線接続は、例えば、ｅＮＢからＭＭＥ１１へ送信される、Ｓ１ＡＰのメッセージであるInitial UE Messageに基づいて特定される。Initial UE Messageは、ｅＮＢとＭＭＥ１１との間でＳ１コネクションを確立するためのメッセージである。また、無線解放は、例えば、ｅＮＢからＭＭＥ１１へ送信される、Ｓ１ＡＰのメッセージであるUE Context Release Requestに基づいて特定される。UE Context Release Requestは、ｅＮＢとＭＭＥ１１との間でＳ１コネクションを切断するためのメッセージである。
【００７９】
Ｓ２０３で、端末情報解析部３４は、パケット送受信部３１によって受信されたパケットに含まれるメッセージの内容及び発生時刻に基づいて、情報管理部３５によって管理されているユーザ情報テーブル内の、ＵＥの通信履歴を更新する。例えば、端末情報解析部３４は、無線接続に応じて、ＵＥによる通信の開始時刻を通信履歴に保存し、無線解放に応じて、ＵＥによる通信の終了時刻を通信履歴に保存しうる。なお、端末情報解析部３４は、ｅＮＢとＭＭＥ１１との間で伝送する他のメッセージを解析することによって、通信の内容も通信履歴に含めることが可能である。通信履歴の更新が完了すると、端末情報解析部３４は、情報更新処理を終了する。
【００８０】
（Ｘ２ハンドオーバ、Ｓ１ハンドオーバ又は位置登録）
端末情報解析部３４は、メッセージ種別がＸ２ハンドオーバ、Ｓ１ハンドオーバ又は位置登録である場合（Ｓ２０２で「ＹＥＳ」）、Ｓ２０４へ処理を進める。Ｓ２０４で、端末情報解析部３４は、パケット送受信部３１によって受信されたパケットに含まれるメッセージの内容及び発生時刻に基づいて、情報管理部３５によって管理されているユーザ情報テーブル内の、ＵＥの移動履歴を更新する。例えば、端末情報解析部３４は、受信パケットから、ハンドオーバ元のセル及びハンドオーバ先のセルにそれぞれ対応するｅＮＢを示す情報（ＩＤ等）を位置情報として取得し、受信パケットの発生時刻とともに移動履歴に保存しうる。また、端末情報解析部３４は、受信パケットから、ＵＥが位置登録を行うＴＡに対応するＴＡＩを位置情報として取得し、受信パケットの発生時刻とともに移動履歴に保存する。移動履歴の更新が完了すると、端末情報解析部３４は、情報更新処理を終了する。
【００８１】
なお、図７の例には示していないが、端末情報解析部３４は、Attach Requestメッセージを含むパケットを受信した場合に、当該メッセージの内容及び発生時刻に基づいて移動履歴を更新してもよい。
【００８２】
＜ページング制御＞
次に、図８を参照して、ページング制御（Ｓ１２）の手順について説明する。制御部３６は、ＭＭＥ１１によって所定のページングポリシーに従って１つ以上のｅＮＢに向けて送信された、対象ＵＥのページングのためのページングメッセージを受信すると、図８に示す手順により、ページング制御を開始する。ページング制御は、ＭＭＥ１１によって開始された、対象ＵＥに対するページング処理を制御するために実行される。
【００８３】
まずＳ３０１で、制御部３６は、情報管理部３５によって管理されているユーザ情報テーブル内の、対象ＵＥの履歴情報（移動履歴及び通信履歴の少なくともいずれか）に基づいて、ページングメッセージの送信対象となる１つ以上のｅＮＢを含むページング範囲を決定する。例えば、移動履歴及び通信履歴に基づいて、ＵＥの移動方向又は移動先の位置を予測し、移動方向に沿った位置又は移動先の位置の近傍のｅＮＢを、ページング範囲に含めてもよい。あるいは、制御部３６は、端末情報解析部３４によって、通信履歴として対象ＵＥのページング成功率が収集されている場合には、当該ページング成功率に基づいて、ページング範囲を決定してもよい。
【００８４】
次にＳ３０２で、制御部３６は、Ｓ３０１で決定したページング範囲内の各ｅＮＢへ、対象ＵＥのページングのためのページングメッセージを送信し、処理を終了する。なお、制御部３６は、ページングに失敗した場合、ページングメッセージの送信を複数回にわたって繰り返してもよい。その場合、制御部３６は、当該複数回の送信のうちの１回の送信において、対象ＵＥに割り当てられたＴＡＩリスト（TAI-List）内の全ｅＮＢへ、ページングメッセージを送信してもよい。これにより、制御部３６によるページング範囲の調整により、対象ＵＥが在圏しているｅＮＢが、ページング範囲から漏れた場合にも、ページングを成功させることが可能になる。
【００８５】
図９は、上述のページング制御の具体例を示す図である。図９（Ａ）及び（Ｂ）は、ＭＭＥ１１におけるページングポリシーによるページング範囲を、ＭＥＣノード１０において広げる例を示している。また、図９（Ｃ）は、ＭＭＥ１１におけるページングポリシーによるページング範囲を、ＭＥＣノード１０において狭める例を示している。
【００８６】
図９（Ａ）の例では、ＵＥが車載端末等であり、ある程度の速度でＴＡ＃１内を移動し続けているシナリオを想定している。この例では、ＭＭＥ１１が、予め設定されたページングポリシーに従って、ページング対象のＵＥ（対象ＵＥ）についてのLast eNB（本例ではｅＮＢ＃１）に向けてページングメッセージを送信している。これに対して、ＭＥＣノード１０は、対象ＵＥの移動履歴及び通信履歴に基づいて、ページング範囲を、より広いLast TA（本例ではＴＡ＃１）に決定し、ＴＡ＃１に含まれるｅＮＢ＃１及びｅＮＢ＃２へページングメッセージを送信している。即ち、ＭＥＣノード１０は、ＭＭＥ１１によるページング範囲を、より広い範囲に調整し、ページングメッセージの送信を行っている。なお、ＭＥＣノード１０は、ページング範囲を、Last TAよりも広いTAI-Listに決定してもよい。
【００８７】
図９（Ｂ）の例では、隣接したｅＮＢ＃２及びｅＮＢ＃３のセル境界付近をＵＥが頻繁に移動しているシナリオを想定している。この例では、図９（Ａ）の例と同様、ＭＭＥ１１が、予め設定されたページングポリシーに従って、ページング対象のＵＥ（対象ＵＥ）についてLast eNB（本例ではｅＮＢ＃１）に向けてページングメッセージを送信している。これに対して、ＭＥＣノード１０は、対象ＵＥの移動履歴及び通信履歴に基づいて、ページング範囲を、より広いTAI-List（本例では、ＴＡ＃１及びＴＡ＃２）に決定し、TAI-List内のｅＮＢ＃１、ｅＮＢ＃２、ｅＮＢ＃３及びｅＮＢ＃４へページングメッセージを送信している。即ち、ＭＥＣノード１０は、ＭＭＥ１１によるページング範囲を、より広い範囲に調整し、ページングメッセージの送信を行っている。
【００８８】
図９（Ｃ）の例では、ＵＥが静止ＩｏＴ端末等であり、ｅＮＢ＃２のセル内でほぼ静止し続けているシナリオを想定している。この例では、ＭＭＥ１１が、予め設定されたページングポリシーに従って、ページング対象のＵＥ（対象ＵＥ）についてのLAST TA（本例ではＴＡ＃１）に向けてページングメッセージを送信している。これに対して、ＭＥＣノード１０は、対象ＵＥの移動履歴及び通信履歴に基づいて、ページング範囲を、より狭いLast eNB（本例ではｅＮＢ＃２）に決定し、ｅＮＢ＃２へページングメッセージを送信している。即ち、ＭＥＣノード１０は、ＭＭＥ１１によるページング範囲を、より狭い範囲に調整し、ページングメッセージの送信を行っている。
【００８９】
＜再接続制御（パケット受信時）＞
次に、図１０（Ａ）を参照して、パケットの受信時に実行される再接続制御（Ｓ９又はＳ１０９）の手順について説明する。
【００９０】
Ｓ４０１で、制御部３６は、対象ＵＥに対して、情報管理部３５によって管理されている切断禁止テーブル（図４（Ｄ））に登録されたベアラ（特定のベアラ）が確立されているか否かを判定する。この判定は、ユーザ情報テーブル内に保持されている接続ベアラ情報に基づいて行われる。制御部３６は、切断禁止テーブルに登録されたベアラが対象ＵＥに対して確立されていないと判定した場合、Ｓ４０２へ処理を進め、確立されていると判定した場合、Ｓ４０４へ処理を進める。
【００９１】
Ｓ４０４で、制御部３６は、再接続待ちフラグをＯＮに設定し、Ｓ１０（図５）へ処理を進める。このようにして、制御部３６は、切断禁止テーブルに登録されたベアラが対象ＵＥに対して確立されている間には、再接続待ちフラグをＯＮに設定し続け、当該ＵＥに対するデタッチ処理（ＥＰＣへの再アタッチを当該ＵＥに実行させる制御信号の送信）を行わない動作する。
【００９２】
一方、Ｓ４０２で、制御部３６は、再接続フラグをＯＦＦに設定し、Ｓ４０３へ処理を進める。Ｓ４０３で、制御部３６は、対象ＵＥに対するデタッチ処理を開始することで、対象ＵＥの暗号化情報を取得する。その後、制御部３６は、Ｓ１０（図５）へ処理を進める。
【００９３】
図１１は、上述の再接続制御による暗号化情報の取得に関連する通信シーケンスを示す図である。Ｓ４０３におけるデタッチ処理が開始されると、ＭＥＣノード１０は、図１１に示す通信シーケンスに従って、対象ＵＥの暗号化情報を取得する。
【００９４】
ＭＥＣノード１０は、対象ＵＥに対するデタッチ処理を開始すると（Ｓ６０１）、Ｓ１ＡＰのメッセージであるUE Context Release Commandを含む制御信号を、ｅＮＢへ送信する（Ｓ６０２）。当該制御信号を受信したｅＮＢは、ＲＲＣプロトコルのメッセージであるRRC Connection Releaseを含む制御信号を、対象ＵＥへ送信する（Ｓ６０３）。なお、Ｓ６０２及びＳ６０３の制御信号は、ＥＰＣ側からのデタッチを示す情報を含む。本実施形態では、この制御信号は、対象ＵＥに対するデタッチ処理のための切断信号に相当する。ＭＥＣノード１０は、以下で説明するように、この切断信号の受信に応じて対象ＵＥからＭＭＥ１１に対して行われる接続処理において、対象ＵＥの暗号化情報を取得する。
【００９５】
対象ＵＥは、ｅＮＢから受信した制御信号により、ＥＰＣ側からのデタッチを検出すると（Ｓ６０４）、当該制御信号の受信に応じて、ＥＰＣへの再アタッチの実行を開始する（Ｓ６０５）。まず、対象ＵＥは、ＮＡＳメッセージであるAttach Requestを含む制御信号（第１要求信号）を、ｅＮＢを介してＭＭＥ１１へ向けて送信する（Ｓ６０６）。この制御信号は、ＵＥの認証を伴わないアタッチ（再アタッチ）であるＧＵＴＩアタッチのための制御パケットを含む。
【００９６】
ＭＥＣノード１０は、ｅＮＢから受信した、Attach Requestを含む制御信号を、ＭＭＥ１１へ転送せずにＭＥＣノード１０において終端し、対象ＵＥに対して、ＩＭＳＩアタッチを促すように応答する（Ｓ６０７）。具体的には、ＭＥＣノード１０は、ＮＡＳメッセージであるAttach Rejectを含む制御信号（アタッチ拒絶信号）を、対象ＵＥへ送信する（Ｓ６０８）。この制御信号は、ＥＰＣがＵＥのＩＤを特定できないことを示す情報を、対象ＵＥに対してＩＭＳＩアタッチを促す情報として含む。
【００９７】
対象ＵＥは、上述のAttach Rejectを含む制御信号の受信に応じて、ＮＡＳメッセージであるAttach Requestを含む制御信号（第２要求信号）を、ｅＮＢを介してＭＭＥ１１へ向けて送信する（Ｓ６０９）。この制御信号は、ＵＥの認証を伴うアタッチ（再アタッチ）であるＩＭＳＩアタッチのための制御パケットを含む。ＭＥＣノード１０は、対象ＵＥからｅＮＢを介して、Attach Requestを含む制御信号を受信すると、当該制御信号を、ＭＭＥ１１へ転送する。
【００９８】
その後、ＥＰＣへの対象ＵＥの新規接続処理のためのシグナリング情報が、対象ＵＥとＭＭＥ１１との間で伝送される（Ｓ６１０）。ＭＥＣノード１０は、このように、Attach Requestを含む制御信号（Ｓ６０９）により開始される新規接続処理において対象ＵＥとＭＭＥ１１との間で伝送されるシグナリング情報から、対象ＵＥの暗号化情報を取得する。
【００９９】
＜再接続制御（ベアラ解放検出時）＞
次に、図１０（Ｂ）を参照して、ベアラ解放検出時に実行される再接続制御の手順について説明する。ＭＥＣノード１０において、制御部３６は、ユーザ情報テーブルに登録されているいずれかのＵＥに対して確立されているベアラが解放されたことを検出するごとに、図１０（Ｂ）に示す手順による再接続制御を実行する。
【０１００】
Ｓ５０１で、制御部３６は、解放されたベアラを使用していたＵＥ（対象ＵＥ）に対応する再接続待ちフラグがＯＮに設定されているか否かを判定し、ＯＦＦに設定されている場合には処理を終了し、ＯＮに設定されている場合には、Ｓ５０２へ処理を進める。
【０１０１】
Ｓ５０２で、制御部３６は、Ｓ４０１と同様、対象ＵＥに対して、情報管理部３５によって管理されている切断禁止テーブル（図４（Ｄ））に登録されたベアラ（特定のベアラ）が確立されているか否かを判定する。制御部３６は、切断禁止テーブルに登録されたベアラが対象ＵＥに対して確立されていないと判定した場合、Ｓ５０３へ処理を進め、確立されていると判定した場合、処理を終了する。
【０１０２】
Ｓ５０３で、制御部３６は、再接続フラグをＯＦＦに設定し、Ｓ５０４へ処理を進める。Ｓ５０４で、制御部３６は、Ｓ４０３と同様、対象ＵＥに対するデタッチ処理を開始することで、対象ＵＥの暗号化情報を取得し、処理を終了する。なお、Ｓ５０４におけるデタッチ処理が開始されると、ＭＥＣノード１０は、上述のように、図１１に示す通信シーケンスに従って、対象ＵＥの暗号化情報を取得する。
【０１０３】
このように、制御部３６は、対象ＵＥに対して特定のベアラが確立されている間には（Ｓ５０３で「ＹＥＳ」）、当該ＵＥに対してデタッチ処理を行わない。制御部３６は、対象ＵＥに対して確立されていた特定のベアラが解放された後に（Ｓ５０３で「ＮＯ」）、当該ＵＥに対してデタッチ処理（ＥＰＣへの再アタッチを当該ＵＥに実行させる制御信号の送信）を行う（Ｓ５０４）。これにより、対象ＵＥが、音声通信等のリアルタイム性を要する通信を行っている間には、当該ＵＥに対するデタッチ処理により通信が切断されることを避けることができる。即ち、一時的な通信の切断が生じても対象ＵＥに対する影響が少ない、より安全なタイミングにデタッチ処理を実行できる。
【０１０４】
以上説明したように、本実施形態のＭＥＣノード１０は、複数のｅＮＢのそれぞれとＭＭＥ１１との間で伝送されるパケットに含まれるシグナリング情報を解析することにより、当該複数のｅＮＢのセル内に存在するＵＥのページング範囲を調整するための情報を収集する。ＭＥＣノード１０は、解析における対象ＵＥについての暗号化されたシグナリング情報の復号に使用可能な暗号化情報を保持していない場合に、対象ＵＥの認証を伴うＥＰＣへの再アタッチを対象ＵＥに実行させる制御信号を、対象ＵＥへ送信する。更に、ＭＥＣノード１０は、再アタッチのための接続処理において対象ＵＥとＭＭＥ１１との間で伝送されるシグナリング情報から、対象ＵＥの暗号化情報を取得する。
【０１０５】
本実施形態によれば、ＵＥ単位でページング処理を制御するＭＥＣノード１０において、暗号化されたシグナリング情報の解析に必要な暗号化情報を適切に取得することが可能になる。このため、例えば、ＵＥがＭＭＥ間の移動を伴うハンドオーバを行うまでの間、当該ＵＥに関連するシグナリング情報から暗号化情報を取得できない状態が継続し、ＭＥＣノード１０によるＵＥ単位でのページング処理の制御ができなくなることを防止できる。
【０１０６】
これにより、ＭＥＣノード１０が、取得した暗号化情報を用いて、ＵＥ又はｅＮＢとＭＭＥ１１との間で伝送されるシグナリング情報を解析し、収集した情報に基づいて、ＵＥ単位でページング処理を制御することが可能になる。即ち、ＭＭＥ１１におけるページング処理に伴うトランザクション負荷を増加させずに、ＵＥ単位でページングポリシーを制御できる。即ち、既存の移動管理装置（ＭＭＥ）の動作に影響を与えずに、ページングポリシーをＵＥ単位で制御（調整）することが可能になる。
【０１０７】
また、本実施形態のＭＥＣノード１０は、対象ＵＥに対して特定のベアラが確立されていない状態で、対象ＵＥの認証を伴うＥＰＣへの再アタッチを対象ＵＥに実行させる制御信号を送信する。これにより、ＭＥＣノード１０は、一時的な通信の切断が生じても対象ＵＥに対する影響が少ない、より安全なタイミングに、対象ＵＥの暗号化情報を取得することが可能である。
【０１０８】
＜ユーザ情報テーブル内のレコードの削除＞
上述の実施形態は種々の変更が可能である。例えば、情報管理部３５は、ユーザ情報テーブル内のレコードが無制限に増加し、ＲＡＭ２３等の計算資源を過剰に消費することを避けるために、ユーザ情報テーブル内の不要となったレコードを削除する機能を有していてもよい。
【０１０９】
例えば、情報管理部３５は、ＭＥＣノード１０に収容されていたＵＥが、他のＭＥＣノードに接続されたｅＮＢのセルへハンドオーバした後に、当該他のＭＥＣノードからの問い合わせに応じて当該ＵＥに対応する暗号化情報が当該他のＭＥＣノードへ提供された場合に、当該ＵＥに対応するレコードをユーザ情報テーブルから削除してもよい。また、情報管理部３５は、所定時間、通信を行っていないＵＥに対応するレコードを、ユーザ情報テーブルから削除してもよい。この所定時間は、例えば、ＬＴＥシステムの設定値であるPeriodic TAU Timer又はPurge Timerのタイムアウト値（例えば、約３０分）よりも大きくなるように設定されてもよい。
【０１１０】
このように、ユーザ情報テーブル内のレコードを適宜削除することにより、ユーザ情報テーブル内のレコードが無制限に増加することを防止でき、ＲＡＭ２３等の計算資源を過剰に消費することを防止できる。
【０１１１】
＜その他の実施形態＞
ＭＥＣノード１０は、図３に示すように、ローカル情報取得部３７を有していてもよい。このローカル情報取得部３７は、ＭＥＣノード１０に収容されている各ｅＮＢのセル内の無線通信状況を示す情報を、ローカル情報として各ｅＮＢから取得する機能を有する。この場合、制御部３６は、ＭＭＥ１１からページングメッセージが受信されると、端末情報解析部３４によって収集されたローカル情報に基づいて、ページング範囲を決定する。あるいは、制御部３６は、情報管理部３５によって管理されている情報と、ローカル情報との両方に基づいて、ページング範囲を決定してもよい。更に、制御部３６は、決定したページング範囲に含まれる各ｅＮＢへページングメッセージを送信する。このような処理により、各ｅＮＢのセル内のローカルな状況に基づいて、ＭＥＣノード１０によるページングポリシーの調整を実現できる。
【０１１２】
なお、本実施形態に係るＭＥＣノード（管理装置）は、コンピュータをＭＥＣノードとして機能させるためのコンピュータプログラムにより実現することができる。当該コンピュータプログラムは、コンピュータが読み取り可能な記憶媒体に記憶されて配布が可能なもの、又は、ネットワーク経由で配布が可能なものである。
【符号の説明】
【０１１３】
１０：ＭＥＣノード（ノード装置）
１１：ＭＭＥ（移動管理装置）、１２：Ｓ−ＧＷ（ゲートウェイ装置）
２１：ＣＰＵ、２２：ＲＯＭ、２３：ＲＡＭ、２４：外部記憶装置、２５：通信装置
３１：パケット送受信部、３２：フロー識別部、３３：シグナリング解析部
３４：端末情報解析部、３５：情報管理部、３６：ページング制御部
３７：ローカル情報取得部
【図１】
2019146076.tif 000003
【図２】
2019146076.tif 000004
【図３】
2019146076.tif 000005
【図４】
2019146076.tif 000006
【図５】
2019146076.tif 000007
【図６】
2019146076.tif 000008
【図７】
2019146076.tif 000009
【図８】
2019146076.tif 000010
【図９】
2019146076.tif 000011
【図１０】
2019146076.tif 000012
【図１１】
2019146076.tif 000013
【図１２】
2019146076.tif 000014